(57)【要約】【課題】単一のモータにより、第３機構の内部にある第２機構を昇降でき、第２機構の内部にある第１機構を左右に移動でき、そして第１機構の上での按摩ヘッドを回転できる按摩装置を提供する。【解決手段】第３機構の内部に第２機構が設けられ、長尺ツインヘッドねじ軸の駆動により、第２機構を昇降でき、第２機構の内部に第１機構が設けられ、ツインヘッドねじ軸及び伝動軸の駆動により、第１機構が左右に移動し、按摩ヘッドが回転する。ギア組及びプーリー組により、単一のモータは、長尺ツインヘッドねじ軸、ツインヘッドねじ軸及び伝動軸を回転する。【選択図】図２
0003181629.tif 000002
【実用新案登録請求の範囲】
【請求項１】
第１機構を含み、前記第１機構は第１伝動軸を介して按摩ヘッドを伝動する少なくとも一つの横方向移動按摩ユニットと、
第２機構を含み、前記第２機構には、少なくとも一つの第１規制スライド空間が設けられ、前記第１規制スライド空間により前記横方向移動按摩ユニットが左右に移動でき、更に、単一の動力源を有し、前記動力源がモータでもよく、前記モータは、前記第１機構を左右に移動でき、前記第１伝動軸と前記按摩ヘッドとを回転できる横方向移動伝動部と、
第３機構を含み、前記第３機構に長尺ツインヘッドねじ軸が枢着され、前記第３機構に第２規制スライド空間が設けられ、前記第２規制スライド空間により前記第２機構が上下に移動でき、前記モータの回転により、前記第２機構が前記第３機構の内部に昇降でき、少なくとも一つの前記第１機構が前記第２機構の内部に左右に移動でき、且つ前記按摩ヘッドが回転する昇降部材と、
を含むことを特徴とする按摩装置。
【請求項２】
前記第１機構により自在ボタン固定ブッシュが規制され、前記第１機構に平歯車ブッシュが枢着され、前記平歯車ブッシュが第１平歯車と噛合い、第１傘歯車は、前記第１平歯車と一体成形され、第２傘歯車を駆動でき、前記第２傘歯車に結合される第１伝動軸が按摩ヘッドを伝動することを特徴とする、請求項１に記載の按摩装置。
【請求項３】
前記第２機構は、前記モータによりワームを駆動し、前記ワームが第２平歯車と噛合い、第３平歯車が前記第２平歯車と一体成形され、前記第３平歯車が第４平歯車を伝動でき、第３傘歯車が前記第４平歯車と一体成形され、前記第３傘歯車が第４傘歯車と噛合い、前記第４傘歯車が第２伝動軸に結合され、前記第２伝動軸は、平歯車ブッシュに嵌められて、前記平歯車ブッシュを伝動でき、第１プーリー、ベルトと第２プーリーにより第３伝動軸を伝動し、前記第３伝動軸の少なくとも一側がツインヘッドねじ軸に成形され、前記ツインヘッドねじ軸に前記自在ボタン固定ブッシュが挿入され、前記ツインヘッドねじ軸が回転しているときに、前記第１機構は、前記自在ボタン固定ブッシュに駆動されて、前記ツインヘッドねじ軸の螺旋に沿って左右に移動することを特徴とする、請求項２に記載の按摩装置。
【請求項４】
前記第３機構は、第５平歯車が前記第３平歯車と噛合い、第６平歯車が前記第５平歯車に結合され、前記第６平歯車が第７平歯車と噛合い、第５傘歯車が前記第７平歯車と一体成形され、前記第５傘歯車は、前記長尺ツインヘッドねじ軸に嵌め設けられる第６傘歯車と噛合い、前記第６傘歯車の内部には、前記長尺ツインヘッドねじ軸の螺旋溝と噛合う自在ボタンが設けられ、前記モータの回転により、前記第２機構が前記第３機構の内部に昇降でき、少なくとも一つの前記第１機構が前記第２機構の内部に左右に移動でき、且つ前記按摩ヘッドが回転することを特徴とする、請求項３に記載の按摩装置。
【請求項５】
前記按摩ヘッドの内部に赤外線ランプが設けられ、前記赤外線ランプによる温湿布効果は按摩の補助となることを特徴とする、請求項１に記載の按摩装置。
【請求項６】
按摩椅子の背当りに適用できることを特徴とする、請求項１に記載の按摩装置。
【請求項７】
按摩椅子の座当りに適用できることを特徴とする、請求項１に記載の按摩装置。
【考案の詳細な説明】
【技術分野】
【０００１】
本考案は、按摩装置に関し、特に、単一のモータにより、第３機構の内部にある第２機構を昇降でき、第２機構の内部にある第１機構を左右に移動でき、そして第１機構の上での按摩ヘッドを回転できる按摩装置に関するものである。
【背景技術】
【０００２】
人体の構造は、極めて複雑であり、骨、血液及び筋肉の他に、ツボ及び関節などがある。日常の生活では、身体の全ての部位を運動することが難しく、一部の部位が過度に運動するとだるくて痛くなることがあり、なお、長期間に運動しないと、血行が不順調となることがある。ある期間ごとに全身を按摩することにより、長期間に運動しない部位を運動する効果を達成でき、且つ過度に運動した部位のだるさ及び痛みを緩和できる。
【０００３】
しかし、按摩は、人間による按摩と按摩器による按摩とに分けられる。人間による按摩は、按摩師の指定の時間及び場所で按摩を行うことが必要であり、価格が高く、そして按摩の時間の長さに制限がある。按摩器による按摩は、従来の按摩器の按摩の形式が簡単すぎ、ユーザの全身に適用できず、或いは按摩器が按摩師に利用されてユーザを按摩することが必要であるため、利用の状況が理想とは言えない。
【０００４】
また、従来の按摩器は、左右動の按摩が一つのモータを必要とし、上下動の按摩が別のモータを必要とする。このように、コストが増加し、電力の消費が増加し、按摩器全体の体積が大きくなる問題があった。
【考案の概要】
【考案が解決しようとする課題】
【０００５】
本考案の主な目的は、単一のモータにより、第３機構の内部にある第２機構を昇降でき、第２機構の内部にある第１機構を左右に移動でき、そして第１機構の上での按摩ヘッドを回転できる按摩装置を提供することにある。
【課題を解決するための手段】
【０００６】
本考案の按摩装置によると、第１機構を含み、第１機構は第１伝動軸を介して按摩ヘッドを伝動する少なくとも一つの横方向移動按摩ユニットと、
第２機構を含み、第２機構には、少なくとも一つの第１規制スライド空間が設けられ、第１規制スライド空間により横方向移動按摩ユニットが左右に移動でき、更に、単一の動力源を有し、動力源がモータでもよく、モータは、第１機構を左右に移動でき、第１伝動軸と按摩ヘッドとを回転できる横方向移動伝動部と、
第３機構を含み、第３機構に長尺ツインヘッドねじ軸が枢着され、第３機構に第２規制スライド空間が設けられ、第２規制スライド空間により第２機構が上下に移動でき、モータの回転により、第２機構が第３機構の内部に昇降でき、少なくとも一つの第１機構が第２機構の内部に左右に移動でき、且つ按摩ヘッドが回転する昇降部材と、
を含むことを特徴とする。
【０００７】
本考案の按摩装置によると、第１機構により自在ボタン固定ブッシュが規制され、第１機構に平歯車ブッシュが枢着され、平歯車ブッシュが第１平歯車と噛合い、第１傘歯車は、第１平歯車と一体成形され、第２傘歯車を駆動でき、第２傘歯車に結合される第１伝動軸が按摩ヘッドを伝動することを特徴とする。
【０００８】
本考案の按摩装置によると、第２機構は、モータによりワームを駆動し、ワームが第２平歯車と噛合い、第３平歯車が第２平歯車と一体成形され、第３平歯車が第４平歯車を伝動でき、第３傘歯車が第４平歯車と一体成形され、第３傘歯車が第４傘歯車と噛合い、第４傘歯車が第２伝動軸に結合され、第２伝動軸は、平歯車ブッシュに嵌められて、平歯車ブッシュを伝動でき、第１プーリー、ベルトと第２プーリーにより第３伝動軸を伝動し、第３伝動軸の少なくとも一側がツインヘッドねじ軸に成形され、ツインヘッドねじ軸に自在ボタン固定ブッシュが挿入され、ツインヘッドねじ軸が回転しているときに、第１機構は、自在ボタン固定ブッシュに駆動されて、ツインヘッドねじ軸の螺旋に沿って左右に移動することを特徴とする。
【０００９】
本考案の按摩装置によると、第３機構は、第５平歯車が第３平歯車と噛合い、第６平歯車が第５平歯車に結合され、第６平歯車が第７平歯車と噛合い、第５傘歯車が第７平歯車と一体成形され、第５傘歯車は、長尺ツインヘッドねじ軸に嵌め設けられる第６傘歯車と噛合い、第６傘歯車の内部には、長尺ツインヘッドねじ軸の螺旋溝と噛合う自在ボタンが設けられ、モータの回転により、第２機構が第３機構の内部に昇降でき、少なくとも一つの第１機構が第２機構の内部に左右に移動でき、且つ按摩ヘッドが回転することを特徴とする。
【００１０】
本考案の按摩装置によると、按摩ヘッドの内部に赤外線ランプが設けられ、赤外線ランプによる温湿布効果は按摩の補助となることを特徴とする。
【００１１】
本考案の按摩装置によると、按摩椅子の背当りに適用できることを特徴とする。
【００１２】
本考案の按摩装置によると、按摩椅子の座当りに適用できることを特徴とする。
【考案の効果】
【００１３】
本考案の按摩装置によれば、単一のモータにより、第３機構の内部にある第２機構を昇降でき、第２機構の内部にある第１機構を左右に移動でき、そして第１機構の上での按摩ヘッドを回転できるという効果を有する。
【図面の簡単な説明】
【００１４】
【図１】本考案の一実施例の組立状態を示す斜視図である。
【図２】本考案の一実施例を示す分解斜視図である。
【図３】本考案の一実施例の横方向移動伝動部を示す斜視図である。
【図４】本考案の一実施例の横方向移動伝動部の下方から見た斜視図である。
【図５】本考案の一実施例の横方向移動按摩ユニットを示す分解斜視図である。
【図６】本考案の一実施例の横方向移動按摩ユニットを示す斜視図である。
【図７】本考案の一実施例の動作を示す平面図である。
【図８】本考案の一実施例が按摩椅子に適用される状態を示す斜視図である。
【図９】本考案の一実施例が按摩座当りに適用される状態を示す斜視図である。
【考案を実施するための最良の形態】
【００１５】
以下、本考案の実施の形態を図面に基づいて説明する。
図１乃至図７を参照する。図１は本考案の一実施例の組立状態を示す斜視図であり、図２は本考案の一実施例を示す分解斜視図であり、図３は本考案の一実施例の横方向移動伝動部を示す斜視図であり、図４は本考案の一実施例の横方向移動伝動部の下方から見た斜視図であり、図５は本考案の一実施例の横方向移動按摩ユニットを示す分解斜視図であり、図６は本考案の一実施例の横方向移動按摩ユニットを示す斜視図であり、図７は本考案の一実施例の動作を示す平面図である。本考案の按摩装置は、少なくとも一つの横方向移動按摩ユニット１０と、横方向移動伝動部２０と、昇降部材３０と、を含む。
【００１６】
横方向移動按摩ユニット１０は、第１機構１１を含む。第１機構１１により自在ボタン固定ブッシュ１２が規制される。第１機構１１に平歯車ブッシュ１３が枢着される。平歯車ブッシュ１３は第１平歯車１４と噛合う。第１傘歯車１５は、第１平歯車１４と一体成形され、第２傘歯車１６を駆動できる。第２傘歯車１６に結合される第１伝動軸１７は按摩ヘッド１８を伝動する。按摩ヘッド１８の内部に赤外線ランプ１９が設けられ、赤外線ランプ１９による温湿布効果は按摩の補助となる。
【００１７】
横方向移動伝動部２０は、第２機構２１を含む。第２機構２１には、少なくとも一つの第１規制スライド空間２２が設けられる。第１規制スライド空間２２により横方向移動按摩ユニット１０が左右に移動できる。横方向移動伝動部２０は、更に、単一の動力源を有し、動力源がモータ２３でもよい。モータ２３はワーム２４を駆動する。ワーム２４は第２平歯車２５と噛合う。第３平歯車２６は第２平歯車２５と一体成形される。第３平歯車２６は第４平歯車２７を伝動できる。第３傘歯車２８は第４平歯車２７と一体成形される。第３傘歯車２８は第４傘歯車２９と噛合う。第４傘歯車２９は第２伝動軸２９１に結合される。第２伝動軸２９１は、平歯車ブッシュ１３に嵌められて、平歯車ブッシュ１３を伝動でき、第１プーリー２９２、ベルト２９３と第２プーリー２９４により第３伝動軸２９５を伝動する。第３伝動軸２９５の少なくとも一側はツインヘッドねじ軸２９６に成形される。ツインヘッドねじ軸２９６に自在ボタン固定ブッシュ１２が挿入される。ツインヘッドねじ軸２９６が回転しているときには、自在ボタン固定ブッシュ１２がツインヘッドねじ軸２９６の螺旋に沿って左右に移動する。
【００１８】
昇降部材３０は、第３機構３１を含む。第３機構３１に長尺ツインヘッドねじ軸３２が枢着される。第３機構３１に第２規制スライド空間３３が設けられ、第２規制スライド空間３３により第２機構２１が上下に移動できる。第５平歯車３４は第３平歯車２６と噛合う。第６平歯車３５は第５平歯車３４に結合される。第６平歯車３５は第７平歯車３６と噛合う。第５傘歯車３７は第７平歯車３６と一体成形される。第５傘歯車３７は、長尺ツインヘッドねじ軸３２に嵌め設けられる第６傘歯車３８と噛合う。第６傘歯車３８の内部には、長尺ツインヘッドねじ軸３２の螺旋溝３２１と噛合う自在ボタン３９が設けられる。このように、モータ２３の回転により、第２機構２１が第３機構３１の内部に昇降でき、少なくとも一つの第１機構１１が第２機構２１の内部に左右に移動でき、且つ按摩ヘッド１８が回転する。
【００１９】
上記の構成によれば、本考案の按摩装置の内部に一つだけのモータ２３を設けることにより、モータ２３がワーム２４を伝動して、ワーム２４が第２平歯車２５を伝動し、第３平歯車２６が第２平歯車２５と一体成形されるため、第３平歯車２６が第４平歯車２７及び第５平歯車３４を伝動し、第３傘歯車２８が第４平歯車２７と一体成形されるため、第３傘歯車２８が第４傘歯車２９を伝動し、第４傘歯車２９が第２伝動軸２９１に結合され、第２伝動軸２９１が平歯車ブッシュ１３に挿入されるため、平歯車ブッシュ１３が第１平歯車１４を伝動し、第１傘歯車１５が第１平歯車１４と一体成形されるため、第１傘歯車１５が第２傘歯車１６を伝動し、第２傘歯車１６に結合される第１伝動軸１７により、按摩ヘッド１８が回転される。按摩ヘッド１８の内部に赤外線ランプ１９が設けられ、赤外線ランプ１９による温湿布効果は按摩の補助となる。第１プーリー２９２、ベルト２９３及び第２プーリー２９４により、第２伝動軸２９１は第３伝動軸２９５を伝動する。第３伝動軸２９５の少なくとも一側はツインヘッドねじ軸２９６に成形される。ツインヘッドねじ軸２９６に自在ボタン固定ブッシュ１２が挿入される。ツインヘッドねじ軸２９６が回転しているときには、自在ボタン固定ブッシュ１２がツインヘッドねじ軸２９６の螺旋に沿って左右に移動すると同時に、第１機構１１も左右に移動する。第６平歯車３５は第５平歯車３４に結合されるため、第６平歯車３５が第７平歯車３６を伝動する。第５傘歯車３７が第７平歯車３６と一体成形されるため、第５傘歯車３７は長尺ツインヘッドねじ軸３２に嵌め設けられる第６傘歯車３８を伝動する。第６傘歯車３８の内部には、長尺ツインヘッドねじ軸３２の螺旋溝３２１と噛合う自在ボタン３９が設けられる。第６傘歯車３８が長尺ツインヘッドねじ軸３２で回転すると、第２機構２１は第３機構３１の内部に昇降する。このように、モータ２３の回転により、第２機構２１が第３機構３１の内部に昇降でき、少なくとも一つの第１機構１１が第２機構２１の内部に左右に移動でき、且つ按摩ヘッド１８が回転する。
【００２０】
図８及び図９を参照する。図８は本考案の一実施例が按摩椅子に適用される状態を示す斜視図であり、図９は本考案の一実施例が按摩座当りに適用される状態を示す斜視図である。本考案の按摩装置は、按摩椅子４０の背当り、又は按摩座当り５０に適用することができる。このように、按摩ヘッド１８が回転しているときに、按摩ヘッド１８は、横方向に移動しながら昇降するため、ユーザの背部の全面を充分に按摩できる。
【００２１】
このように、本考案の特定の例を参照して説明したが、それらの例は、説明のためだけのものであり、本考案を限定するものではなく、この分野に通常の知識を有する者には、本考案の要旨および特許請求の範囲を逸脱することなく、ここで開示された実施例に変更、追加、または、削除を施してもよいことがわかる。
【産業上の利用可能性】
【００２２】
本考案は、按摩装置に適用することができる。
【符号の説明】
【００２３】
１０：横方向移動按摩ユニット
１１：第１機構
１２：自在ボタン固定ブッシュ
１３：平歯車ブッシュ
１４：第１平歯車
１５：第１傘歯車
１６：第２傘歯車
１７：第１伝動軸
１８：按摩ヘッド
１９：赤外線ランプ
２０：横方向移動伝動部
２１：第２機構
２２：第１規制スライド空間
２３：モータ
２４：ワーム
２５：第２平歯車
２６：第３平歯車
２７：第４平歯車
２８：第３傘歯車
２９：第４傘歯車
３０：昇降部材
３１：第３機構
３２：長尺ツインヘッドねじ軸
３３：第２規制スライド空間
３４：第５平歯車
３５：第６平歯車
３６：第７平歯車
３７：第５傘歯車
３８：第６傘歯車
３９：自在ボタン
４０：按摩椅子
５０：按摩座当り
２９１：第２伝動軸
２９２：第１プーリー
２９３：ベルト
２９４：第２プーリー
２９５：第３伝動軸
２９６：ツインヘッドねじ軸
３２１：螺旋溝
【図１】
0003181629.tif 000003
【図２】
0003181629.tif 000004
【図３】
0003181629.tif 000005
【図４】
0003181629.tif 000006
【図５】
0003181629.tif 000007
【図６】
0003181629.tif 000008
【図７】
0003181629.tif 000009
【図８】
0003181629.tif 000010
【図９】
0003181629.tif 000011